【事件の表示】
　平成　５年特許願第　３４８３４号「遊技機」拒絶査定不服審判事件〔平成　６年　８月　９日出願公開、特開平　６−２１８１０２〕について、次のとおり審決する。
【結　論】
　本件審判の請求は、成り立たない。
【理　由】
１．手続の経緯
　本願は、平成５年１月２８日の出願であって、平成１４年４月１６日付けで拒絶査定がなされ、これに対し、平成１４年５月２３日に拒絶査定に対する審判請求がなされ、平成１４年６月２４日付けで明細書に係る手続補正がなされたものである。
　　　　
２．本願発明
　本願の請求項１及び２に係る発明は、平成１４年６月２４日付けの手続補正によって補正された明細書の記載からみて、その特許請求の範囲の請求項１及び２に記載された「遊技機」にあると認められるところ、その請求項１に記載された発明（以下、「本願発明」という。）は以下のとおりのものである。
「表示面とリールフレームとが合成樹脂により一体的に形成された回転体であって、前記表示面に図柄層と接着層とを含む転写シートを熱転写印刷することにより図柄が施された回転体を有する可変表示装置を備えた遊技機において、
　前記可変表示装置は、前記回転体を回転駆動するモータと、該モータを固定する固定板と、前記回転体の内側面から前記表示面に施される前記図柄であって遊技者に視認し得る図柄を個々に照射する照明手段と、からなる回転体装置を箱状に形成される収納体に収納されることにより構成されると共に、前記回転体の表示面に熱転写印刷される転写シートの少なくとも接着層をビニル系接着剤としたことを特徴とする遊技機。」
　　　　　
３．引用例及び引用発明
　原査定の拒絶理由において引用された、本願の出願前に国内において頒布された刊行物である実願平２−５９１５５号（実開平４−１８５６５号）のマイクロフィルム（以下、「引用例」という。）には、以下の事項が記載されている。
（ア）「１　モータの出力軸に嵌合される軸取付部を、リール本体と一体成形された回止め機能を付与した軸穴を有するボス状に形成すると共に、このボス状軸取付部からそれと一体で放射状に延設された支杆に支持させて略短円筒状をなすリール本体を当該軸取付部と一体に形成し、かつ、このリール本体の外周面に、絵柄テープの裏面に筋状に形成した接着部を有する絵柄テープを、この筋状接着部において貼着したことを特徴とするスロツトマシン用のリール。」（明細書第１頁第５〜１４行）、
（イ）「第１図は本考案リールの一例の側面図、第２図はその正面図、第３図は絵柄テープの裏面斜視図、第４図は従来リールの一例の斜視図である。
これらの図において、１は本考案リールの回転中心として短円筒状のリール本体３の内側に突出形成されたボス状をなす軸取付部で、ここではその中心に半円形状の軸穴２が形成されている。従って、本考案リールが取付けられるモータの出力軸（図示せず）は、この穴２に密嵌される半円形状の断面に形成される。
　３は、上記軸取付部１の外側に放射状に形成される支杆４を介して当該取付部１と一体に形成されたリール本体で、このリール本体３の外周面は、第２図に示すように形成されている。
　而して、第２図に於て、３１はリール本体の外周面に形成した狭幅の帯をなす帯状絵柄取付面、３２，３３は絵柄取付面３１の面側に形成したフランジ状段部、３４は前記帯状取付面３１とフランジ状段部３２，３３を繋ぐリブである。
　上記第１図，第２図により説明したリールの絵柄取付面３１には、第４図に示すような構成の絵柄テープ５が取付けられる。
　この絵柄テープ５は、その表面側に適宜の絵柄が印刷等の表示手段によって表示されていると共に、裏面側の中央に当該テープ５より十分に狭幅の接着面、ここでは両面接着テープによる帯状接着面５１が形成されている。
　この帯状接着面５１は第３図のリールにおける絵柄取付面３１の位置，幅に見合ったものとなっていること勿論である。
　このように形成された絵柄テープ５は、その帯状接着面５１において、リール本体３の絵柄取付面３１にいわばワンタッチで取付けることができ、このリール本体３の非円形の軸穴２に対応する断面形状のモータ出力軸を嵌着結合すれば、リールの組立ては絵柄テープ４の取付けと、モータ出力軸への嵌着の２工程で完了する。
　上記実施例において、両面接着テープによる帯状接着面はリール本体３の取付面３１の側に形成してもよい。」（明細書第５頁第９行〜第７頁第１４行）。
　　　　
　上記の記載及び図面によれば、引用例には、以下の発明（以下、「引用発明」という。）が記載されているものと認められる。
「絵柄取付面３１と支杆４とが一体に形成されたリール本体３であって、前記絵柄取付面３１に、表面側に適宜の絵柄が印刷等の表示手段によって表示されていると共に、裏面側の中央に両面接着テープによる狭幅の帯状接着面５１が形成されている絵柄テープ５を貼着することにより、絵柄が施されたリール本体３を有するスロットマシンにおいて、
　前記リール本体３を回転駆動するモータを有するスロットマシン。」
　　　　
４．対比及び判断
（１）対比
　本願発明と引用発明とを対比すると、引用発明の「絵柄取付面３１」、「支杆４」、「リール本体３」、「適宜の絵柄が印刷等の表示手段によって表示されている絵柄テープ５の表面側」、「帯状接着面５１が形成されている絵柄テープ５の裏面側」、「絵柄」及び「スロットマシン」は、それぞれ、本願発明の「表示面」、「リールフレーム」、「回転体」、「図柄層」、「接着層」、「図柄」及び「遊技機」に相当する。
　そして、引用発明の「絵柄テープ５」は、本願発明の「転写シート」と対比して、いずれも「接着シート」であることで共通する。
　また、引用発明において、前記「リール本体３（回転体）」が本願発明の如き「合成樹脂」により形成されていること、および、前記「リール本体３（回転体）」を含めて本願発明の如き「可変表示装置」が構成されていることは、いずれも自明の事項である。
　そうすると、本願発明と引用発明の両者は、以下の点でそれぞれ、一致ならびに相違するものと認められる。
　一致点「表示面とリールフレームとが合成樹脂により一体的に形成された回転体であって、前記表示面に図柄層と接着層とを含む接着シートを取り付けることにより図柄が施された回転体を有する可変表示装置を備えた遊技機において、
　前記可変表示装置は、前記回転体を回転駆動するモータを有する遊技機。」
　相違点Ａ．回転体の表示面に取り付ける接着シートが、本願発明は、熱転写印刷される転写シートであり、その少なくとも接着層をビニル系接着剤としたものであるのに対し、引用発明は、両面接着テープによる帯状接着面５１が貼着される絵柄テープ５であり、その帯状接着面５１としての接着層がビニル系接着剤であるかどうか明らかではない点。
　相違点Ｂ．可変表示装置が、本願発明は、モータと、該モータを固定する固定板と、回転体の内側面から表示面に施される図柄であって遊技者に視認し得る図柄を個々に照射する照明手段と、からなる回転体装置を箱状に形成される収納体に収納されることにより構成されるのに対し、引用発明は、モータを有しているものの、その他の構成が明らかではない点。
　　　　
（２）検討判断
　i．相違点Ａ．について
　パチンコ遊技機やパチスロ機等の遊技機において、遊技機を構成するパネル部材面の装飾印刷に転写シートを使用することは、周知技術（例えば、特開平２−７７２８０号公報、特開平４−２５６７６５号公報参照、以下、周知技術Ａ１という。）である。
　また、熱転写印刷する転写シートにおいて、クラックが発生しないように少なくとも接着層をビニル系接着剤とすることは、周知技術（例えば、特開昭５７−４７６３２号公報、特開平１−２６２１９９号公報参照、以下、周知技術Ａ２という。）である。
　そうすると、遊技機を構成するパネル部材面の装飾印刷に転写シートを使用する前記周知技術Ａ１を背景に、引用発明に示される、両面接着テープにより貼着される絵柄テープ５に代えて、転写シートの接着層をビニル系接着剤とする前記周知技術Ａ２を採用して、前記相違点Ａに係る本願発明のように構成することは、当業者が容易に想到できるものである。
　ii．相違点Ｂ．について
　パチンコ遊技機の可変表示装置を、モータと、該モータを固定する固定板と、回転体の内側面から表示面に施される図柄であって遊技者に視認し得る図柄を個々に照射する照明手段と、からなる回転体装置を箱状に形成される収納体に収納することにより構成することは、周知技術（例えば、特開平４−４０９７６号公報、特開平４−１２２２７７号公報参照、以下、周知技術Ｂという。）である。
　そうすると、引用発明に示される、遊技機の可変表示装置について、前記周知技術Ｂに示される、モータと固定板と照明手段とからなる回転体装置を箱状に形成される収納体に収納する構成を採用して、前記相違点Ｂに係る本願発明のように構成することは、当業者が容易に想到できるものである。
　iii．作用効果について
　本願発明の作用効果は、引用発明及び前記周知技術に基づいて、当業者が容易に予測できるものである。
　　　
５．むすび
　以上のとおり、本願発明は、引用例に記載された発明（引用発明）及び周知技術に基づいて、当業者が容易に発明をすることができたものであるから、特許法第２９条第２項の規定により特許を受けることができない。
　したがって、本願は、特許請求の範囲の請求項２に係る発明について検討するまでもなく、拒絶をすべきものである。
　よって、結論のとおり審決する。